(57)【要約】【課題】信号用内部電極と信号用外部電極との接触面積を大きくでき、積層することによる応力を緩和する電気素子を提供する。【解決手段】電気素子は、複数の信号用内部電極11を備える。信号用内部電極11は、平板部111と引出部112、113を含む。引出部112、113は、平板部111の両端に設けられる。平板部111は、長さＬ3および幅Ｗ2を有する。引出部112、113は、長さＬ2を有するとともに、長さ方向ＤＲ2の一方端で幅Ｗ2を有し、長さ方向ＤＲ2の他方端でＷ1を有する。そして、信号用内部電極11は、引出部112、113によって信号用外部電極に接続される。また、信号用内部電極11Fと接地用内部電極21Cに分断溝を形成する。【選択図】図3
2008047566.tif 000002
【特許請求の範囲】
【請求項１】
各々が第1の平板部と前記第1の平板部よりも広い幅を有する第1および第2の引出部 
とを有するn（nは正の整数）個の信号用内部電極と、 
前記n個の信号用内部電極と交互に積層され、各々が第2の平板部と前記第2の平板部 
よりも広い幅を有する第3および第4の引出部とを有するm（mは正の整数）個の接地用 
内部電極と、 
前記n個の信号用内部電極の前記n個の第1の引出部に接続された第1の信号用外部電 
極と、 
前記n個の信号用内部電極の前記n個の第2の引出部に接続された第2の信号用外部電 
極と、 
前記m個の接地用内部電極の前記m個の第3の引出部に接続された第1の接地用外部電 
極と、 
前記m個の接地用内部電極の前記m個の第4の引出部に接続された第2の接地用外部電極とを備える電気素子。 
【請求項２】
前記第1および前記第2の引出部は、前記第1の平板部の両端に設けられている、請求 
項1に記載の電気素子。 
【請求項３】
前記第1および第2の引出部の各々は、前記第1の平板部の幅方向において前記第1の 
平板部の両側に突出している、請求項2に記載の電気素子。 
【請求項４】
前記第1および第2の引出部の各々は、前記第1の平板部の幅方向において前記第1の 
平板部の一方側に突出している、請求項2に記載の電気素子。 
【請求項５】
前記第1の引出部は、前記第2の引出部と反対方向に突出している、請求項4に記載の 
電気素子。 
【請求項６】
前記第1の引出部は、前記第2の引出部と同じ方向に突出している、請求項4に記載の 
電気素子。 
【請求項７】
前記積層された前記n個の信号用内部電極および前記m個の接地用内部電極からなる積 
層体は、略直方体形状を有し、 
前記第1の平板部の長さ方向における前記n個の第1の引出部の長さは、前記直方体の 
底面から上面へ向かうに従って長くなっており、 
前記第1の平板部の長さ方向における前記n個の第2の引出部の長さは、前記直方体の 
底面から上面へ向かうに従って長くなっている、請求項1に記載の電気素子。
【請求項８】
複数の信号用内部導体層と、複数の接地用内部導体層と、信号用内部導体層と接地用内部導体層との間に介在する複数の誘電体層とを備えた略直方体形状をし、
前記直方体形状の底面に略垂直で互いに対向する第１側面において、該第１側面の一方端に前記複数の信号用内部導体層が並列に接続された第１の信号用外部電極と、
該第１側面の他方端に前記複数の信号用内部導体層が並列に接続された第２の信号用外部電極と、
前記底面及び前記第１側面に略垂直で互いに対向する第２側面において、前記第１側面が対向する方向に対して、前記第２側面の中央から離れて第１の信号用外部電極に近接した位置で、前記複数の接地用内部導体層が並列に接続された第１の接地用外部電極と、
前記底面及び前記第１側面に略垂直で互いに対向する第２側面において、前記第１側面が対向する方向に対して、前記第２側面の中央から離れて第２の信号用外部電極に近接した位置で、前記複数の接地用内部導体層が並列に接続された第２の接地用外部電極と、
前記直方体形状の底面において、前記第１側面と平行に前記第２側面の前記第１の接地用外部電極を繋ぐ帯状の形状をした第３底面電極と、
前記直方体形状の底面において、前記第１側面と平行に前記第２側面の前記第２の接地用外部電極を繋ぐ帯状の形状をした第４底面電極とを備えた電気素子において、
前記接地用内部導体層は、前記第１の接地用外部電極と前記第２の接地用外部電極とを接続する一対の突起状の第３接続部及び第４接続部を備え、且つ、前記第３接続部及前記第４接続部の突起状は、前記直方体形状内部側の底辺が広い略台形状であることを特徴とする電気素子。
【請求項９】
前記電気素子の略台形状の第３接続部及び第４接続部において、前記略台形状の垂直辺が、傾いて略平行四辺形状となったことを特徴とする請求項8に記載の電気素子。
【請求項１０】
前記電気素子の直方体形状の前記第１側面の一方端から、前記電気素子の最上面、前記第１側面の他方端を覆う導体板を備えた電気素子において、
前記第１の接地用外部電極と前記第２の接地用外部電極が、前記第２側面の下端から上端に達しない途中まで形成されてなることを特徴とする請求項8又は9記載の電気素子。
【請求項１１】
前記信号用内部導体層および前記接地用内部導体層は、前記信号用内部導体層および接地用内部導体層の長軸方向と平行に略同じ位置において、前記信号用内部導体層および前記接地用内部導体層の両端部を除いた部分を分割又は一端から他端までを分割した第１分割溝を有することを特徴とする請求項8乃至10のいずれかに記載の電気素子。
【請求項１２】
前記信号用内部導体層および前記接地用内部導体層は、前記信号用内部導体層および接地用内部導体層の長軸方向中央部の略同じ位置において、前記長軸方向対して短軸方向に傾いた、前記短軸の一部を分割した第２分割溝を少なくとも一つ以上もつことを特徴とする請求項11に記載の電気素子。
【請求項１３】
前記第２分断溝は、前記信号用内部導体層および信号用内部導体層の長軸方向に平行な前記第１分割溝と接続してなることを特徴とする請求項12に記載の電気素子。 
【発明の詳細な説明】
【技術分野】
【０００１】
この発明は、電気素子に閲し、特に、広帯域で高周波特性に優れたノイズフィルタ機能 
を有する電気素子に関するものである。 
【背景技術】
【０００２】
従来、積層電子部品として、貫通型三端子コンデンサが知られている（特許文献1）。 
図21は、従来の貫通型三端子コンデンサの斜視函である。図21を参照して、貫通型三端子コンデンサ600は、積層体601と、信号用外部電極602，603と、接地用外部電極604とを備える。 【０００３】
信号用外部電極602は、積層体601の一方の端面部に設けられ、信号用外部電極603は、積層体601の他方の端面部に設けられる。また、接地用外部電極604は、積層体601の側面部に腹巻状に設けられる。そして、信号用外部電極602，603および接地用外部電極604は、積層体601に導電ペーストを塗布および焼成して形成されるシート状の電極である。 【０００４】
図22は、図21に示す線XXII−XXII間における貫通型三端子コンデンサ600の断面図である。図22を参照して、積層体601は、信号用内部電極605と、接地用内部電極606と、誘電体607とを含む。信号用内部電極605および接地用内部電極606は、誘電体607を介して交互に積層される。そして、信号用内部電極605は、一方端が信号用外部電極602に接続され、他方端が信号用外部電極603に接続される。 【０００５】
貫通型三端子コンデンサ600が基板上に実装される場合、信号用外部電極602，603の下面部602A，603A、接地用外部電極604の下面部604Aが基板（プリント基板）上の配線に接続される。 【０００６】
図23は、図22に示す1枚の信号用内部電極605を含む平面における貫通型三端子コンデンサ600の断面図である。また、図24は、図22に示す1枚の接地用内部電極606を含む平面における貫通型三端子コンデンサ600の断面図である。 【０００７】
図23を参照して、信号用内部電極605は、長方形の平面形状を有し、接地用外部電極604には接続されず、一方端が信号用外部電極602に接続され、他方端が603に接続される。そして、信号用内部電極605は、長方形の短辺が信号用外部電極602，603に接続される。 【０００８】
図24を参照して、接地用内部電極606は、信号用外部電極602，603には接続されず、接地用外部電極604に接続される。 
【特許文献１】特開2003−22932号公報
【発明の開示】
【発明が解決しようとする課題】
【０００９】
しかし、従来の貫通型三端子コンデンサにおいては、信号用内部電極は、長方形の短辺 
のみによって信号用外敵電極に接続されるため、信号用内部電極と信号用外部電極との接続面積が小さくなるという問題がある。 【００１０】
また、信号用内部電極は、導電性ペーストの成分としてニッケルなどで形成されているため、抵抗成分が大きくなり、大電流を流すと発熱の問題があった。【００１１】
また、前記接地用内部電極と前記接地用外部電極との接合部近傍において、前記接地用内部電極の広い部分から前記接地用外部電極へ接続するために絞られた部分が形成され、広い部分と絞られた部分が直交しているため、信号用内部電極の電流の流れと逆向きになる成分が無く磁界の相殺作用がない。【００１２】
さらに、従来の貫通型三端子コンデンサは、誘電体層と導電体層を積層して形成し、1000℃以上の高温で焼成するため、誘電体層と導電体層の熱膨張係数の違いにより反りが生じる。【００１３】
そこで、この発明は、かかる問題を解決するためになされたものであり、その目的は、 
信号用内部電極と信号用外部電極との接触面積を大きくできる、高周波ノイズの低減、発熱の抑制、反りの防止できる電気素子を提供することである。
【課題を解決するための手段】
【００１４】
この発明によれば、電気素子は、n（nは正の整数）個の信号用内部電極と、m（mは正の整数）個の接地用内部電極と、第1および第2の信号用外部電極と、第1および第2の接地用外部電極とを備える。n個の信号用内部電極は、各々が第1の平板部と第1の平板部よりも広い幅を有する第1および第2の引出部とを有する。m個の接地用内部電極は、n個の信号用内部電極と交互に積層され、各々が第2の平板部と第2の平板部よりも広い幅を有する第3および第4の引出部とを有する。第1の信号用外部電極は、n個の信号用内部電極のn個の第1の引出部に接続される。第2の信号用外部電極は、n個の信号用内部電極のn個の第2の引出部に接続される。第1の接地用外部電極は、m個の接地用内部電極のm個の第3の引出部に接続される。第2の接地用外部電極は、m個の接地用内部電極のm個の第4の引出部に接続される。 【００１５】
好ましくは、第1および第2の引出部は、第1の平板部の両端に設けられている。 【００１６】
好ましくは、第1および第2の引出部の各々は、第1の平板部の幅方向において第1の 
平板部の両側に突出している。 【００１７】
好ましくは、第1および第2の引出部の各々は、第1の平板部の幅方向において第1の 
平板部の一方側に突出している。 【００１８】
好ましくは、第1の引出部は、第2の引出部と反対方向に突出している。 【００１９】
好ましくは、第1の引出部は、第2の引出部と同じ方向に突出している。 【００２０】
好ましくは、積層されたn個の信号用内部電極およびm個の接地用内部電極からなる積 
層体は、略直方体形状を有する。第1の平板部の長さ方向におけるn個の第1の引出部の 
長さは、直方体の底面から上面へ向かうに従って長くなっており、第1の平板部の長さ方 
向におけるn個の第2の引出部の長さは、直方体の底面から上面へ向かうに従って長くな 
っている。 【００２１】
複数の信号用内部導体層と、複数の接地用内部導体層と、信号用内部導体層と接地用内部導体層との間に介在する複数の誘電体層とを備えた略直方体形状をし、
前記直方体形状の底面に略垂直で互いに対向する第１側面において、該第１側面の一方端に前記複数の信号用内部導体層が並列に接続された第１の信号用外部電極と、
該第１側面の他方端に前記複数の信号用内部導体層が並列に接続された第２の信号用外部電極と、
前記底面及び前記第１側面に略垂直で互いに対向する第２側面において、前記第１側面が対向する方向に対して、前記第２側面の中央から離れて第１の信号用外部電極に近接した位置で、前記複数の接地用内部導体層が並列に接続された第１の接地用外部電極と、
前記底面及び前記第１側面に略垂直で互いに対向する第２側面において、前記第１側面が対向する方向に対して、前記第２側面の中央から離れて第２の信号用外部電極に近接した位置で、前記複数の接地用内部導体層が並列に接続された第２の接地用外部電極と、
前記直方体形状の底面において、前記第１側面と平行に前記第２側面の前記第１の接地用外部電極を繋ぐ帯状の形状をした第３底面電極と、
前記直方体形状の底面において、前記第１側面と平行に前記第２側面の前記第２の接地用外部電極を繋ぐ帯状の形状をした第４底面電極とを有することを特徴とする電気素子において、
前記接地用内部導体層は、前記第１の接地用外部電極と前記第２の接地用外部電極とを接続する一対の突起状の第３接続部及び第４接続部を備え、且つ、前記第３接続部及前記第４接続部の突起状は、前記直方体形状内部側の底辺が広い略台形状であることを特徴とする。【００２２】
好ましくは、前記電気素子の略台形状の第３接続部及び第４接続部において、
前記略台形状の垂直辺が、傾いて略平行四辺形状となったことを特徴とする。
好ましくは、前記電気素子の直方体形状の前記第１側面の一方端から、前記電気素子の最上面、前記第１側面の他方端を覆う導体板を備えた電気素子において、
前記第１の接地用外部電極と前記第２の接地用外部電極が、前記第２側面の下端から上端に達しない途中まで形成されてなることを特徴とする。
好ましくは、前記信号用内部導体層および前記接地用内部導体層は、前記信号用内部導体層および接地用内部導体層の長軸方向と平行に略同じ位置において、前記信号用内部導体層および前記接地用内部導体層の両端部を除いた部分を分割又は一端から他端までを分割した第１分割溝を有することを特徴とする。【００２３】
好ましくは、前記信号用内部導体層および前記接地用内部導体層は、前記信号用内部導体層および接地用内部導体層の長軸方向中央部の略同じ位置において、前記長軸方向対して短軸方向に傾いた、前記短軸の一部を分割した第２分割溝を少なくとも一つ以上もつことを特徴とする。【００２４】
好ましくは、前記第２分断溝は、前記信号用内部導体層および信号用内部導体層の長軸方向に平行な前記第１分割溝と接続してなることを特徴とする。
【発明の効果】
【００２５】
この発明による電気素子においては、n個の信号用内部電極の各々は、第1の平板部よ 
りも幅が広い第1および第2の引出部て信号用外部電極に接続される。 【００２６】
したがって、n個の信号用内部電極と信号用外部電極との接触面積を大きくできる。 【００２７】
また、接地用内部導体層の両端が台形状の第３接続部及び第４接続部を介して第３および第２の接地用外部電極に接続されて直角に繋がる部分が無くなるため、接地用内部導体層に流れる電流は、信号用内部導体層に流れる電流の向きと逆向きの成分が現れ、磁界の相殺が起こりインダクタンスを減少させる。【００２８】
また、電気素子に導体板を接続し、第１および接地用内部導体層より抵抗成分を小さくすることで、大電流が流れても発熱を抑えることができる。
また、この発明において、信号用内部導体層および接地用内部導体層が、長軸方向と短軸方向に分割溝により分割されるため、誘電体層と導電体層の熱膨張係数の違いによる反りを減少させることができる。
【発明を実施するための最良の形態】
【００２９】
本発明の実施の形態について図面を参照しながら詳細に説明する。なお、図中同一また 
は相当部分には同一符号を付してその説明は繰返さない。 【００３０】
図1は、この発明の実施の形態による電気素子の構成を示す斜視図である。図1を参照 
して、この発明の実施の形態による電気素子100は、積層体110と、信号用外部電極120，130と、接地用外部電極140，150とを備える。 【００３１】
積層体110は、略直方体の形状を有する。信号用外部電極120は、積層体110の一方端において、端面110A、側面110B、110Cの一部、底面110Dの一部および上面110Ｅの一部に形成される。信号用外部電極130は、積層体110の他方端において、端面110F、側面110B、110Cの一部、底面110Dの一部、および上面110Eの一部に形成される。 【００３２】
接地用外部電極140は、信号用外部電極120側において、積層体110の側面110B、110C、底面110D、および上面110Eの一部に形成される。接地用外部電極150は、信号用外部電極130側において、積層体110の側面110B、110C、底面110D、および上面110Eの一部に形成される。 【００３３】
図2は、図1に示す積層体110の斜視図である。図2を参照して、積層体110は、誘電体層1〜10と、信号用内部電極11〜14と、接地用内部電極21〜25とを含む。 【００３４】
誘電体層1〜10は、基板の法線方向である垂直方向DR3に、順次、積層される。信号用内部電極11〜14は、それぞれ、誘電体層2、3間、誘電体層4、5間、誘電体層6、7問および誘電体層8、9間に配置され、接地用内部電極21〜25は、それぞれ、誘電体層1、2間、誘電体層3、4間、誘電体層5、6間、誘電体層7、8問および誘電体屠9、10間に配置される。その結果、誘電体層2、4、6、8は、それぞれ、信号用内部電極11〜14を支持し、誘電体層1、3、5、7、9は、それぞれ、接地用内部電極21〜25を支持する。 【００３５】
信号用内部電極11〜14の各々は、その一方端が信号用外部電極120に接続され、他方端が信号用外部電極130に接続される。接地用内部電極21〜25の各々は、接地用外部電極140、150に接続される。 【００３６】
このように、電気素子100は、信号用内部電極11〜14および接地用内部電極21〜25が誘電体層1〜10を挟んで交互に配置された構造からなり、2個の信号用外部電極120、130と、2個の接地用外部電極140，150とを有する。 【００３７】
誘電体層1〜10の各々は、たとえば、チタン酸バリウム（B aTiO3）からなり、信号用外部電極120、130、信号用内部電極11〜14、接地用内部電極21〜25および接地用外部電極140、150の各々は、たとえば、ニッケル（Ni）からなる。 【００３８】
図3は、図1に示す誘電体層2および信号用内部電極11の寸法を説明するための図で 
ある。図3を参照して、誘電体層2は、略平板形状からなり、長さ方向DR2（＝信号用 
内部電極11を電流が流れる方向）に長さLlを有し、長さ方向DR2に直交する幅方向DR1に幅Wlを有する。長さL1は、たとえば、15mmに設定され、幅Wlは、たとえば、13mmに設定される。なお、誘電体層2は、たとえば、25μmの厚みを有する。【００３９】
信号用内部電極11は、略平板形状からなり、平板部111と、引出部112、113とを含む。平板部111は、長方形の形状を有する。引出部112は、平板部111の一方端に接して設けられ、平板部111との接続部分から平板部111と反対方向へ向かって幅が広くなる形状を有する。引出部113は、平板部111の他方端に接して設けられ、平板部111との接続部分から平板部111と反対方向へ向かって幅が広くなる形状を有する。 
平板部111は、長さL3および幅W2を有する。引出部112、113の各々は、長さL2を有する。引出部112は、平板部111との接続部分では、幅W2を有し、平板部111と反対側の端では、幅W1を有する。引出部113は、平板部111との接続部分では、幅W2を有し、平板部111と反対側の端では、幅W1を有する。そして、引出部112、113の各々は、平板部111と反対側の端で幅が（Wl−W2）＝2×W3だけ広くなっている。 【００４０】
幅W2は、幅W1よりも狭く、たとえば、11mmに設定される。また、長さL2は、たとえば、4mmに設定される。さらに、信号用内部電極11は、たとえば、10μm〜20μmの範囲の厚みを有する。 【００４１】
なお、信号用内部電極12〜14の各々は、図3に示す信号用内部電極11と同じ形状および同じ寸法を有する。 【００４２】
図4は、図2に示す他の誘電体層1および接地用内部電極21の寸法を説明するための 
図である。図4を参照して、誘電体層1は、略平板形状からなり、誘電体層2と同じ長さ
L1および同じ幅W1を有する。そして、誘電体層1は、たとえば、25μmの厚みを有する。 【００４３】
接地用内部電極21は、略平板形状からなり、平板部211と、引出部212〜215とを含む。平板部211は、長方形の形状を有する。平板部211は、長さL1よりも短い長さL4と、幅W2とを有する。長さL4は、たとえば、13mmに設定される。そして、接地用内部電極21は、たとえば、10μm〜20μmの範囲の厚みを有する。 【００４４】
引出部212は、接地用内部電極21の端面21A側に設けられる。そして、引出部212は、長さL2および幅W3を有し、接地用内部電極21の一方端21aから距離L5の位置に設けられる。 【００４５】
また、引出部213は、接地用内部電極21の端面21B側に設けられる。そして、引出部213は、長さL2および幅W3を有し、接地用内部電極21の一方端21aから距離L5の位置に設けられる。 【００４６】
さらに、引出部214は、接地用内部電極21の端面21A側に設けられる。そして、引出部214は、長さL2および幅W3を有し、接地用内部電極21の他方端21bから距離L5の位置に設けられる。 【００４７】
さらに、引出部215は、接地用内部電極21の端面21B側に設けられる。そして、引出部215は、長さL2および幅W3を有し、接地用内部電極21の他方端21bから距離L5の位置に設けられる。 【００４８】
その結果、引出部212と引出部214との間隔および引出部213と引出部215との間隔は、L6に設定される。そして、距離L5は、たとえば、1.5mmに設定される。 
なお、接地用内部電極22〜25の各々は、図4に示す接地用内部電極21および同じ寸法を有する。また、誘電体層3〜10の各々は、図3に示す誘電体層2および図4に示す誘電体層1と同じ形状および同じ寸法を有する。 【００４９】
図5は、隣接する信号用内部電極と接地用内部電極との平面図である。図5を参照して 
、信号用内部電極11および接地用内部電極21を1つの平面へ投影すると、信号用内部電極11および接地用内部電極21は、重複部分20を有する。そして、信号用内部電極11と接地用内部電極21との重複部分20は、長さL4および幅W2を有する。信号用内部電極11と接地用内部電極22との重複部分、信号用内部電極12と接地用内部電極22との重複部分、信号用内部電極12と接地用内部電極23との重複部分、信号用内部電極13と接地用内部電極23との重複部分、信号用内部電極13と接地用内部電極24との重複部分、信号用内部電極14と接地用内部電極24との重複部分、および信号用内部電極14と接地用内部電極25との重複部分も、重複部分20と同じ長さL4および同じ幅W2を有する。そして、実施の形態1においては、W2≦L4になるように、長さL4および幅W2が設定される。 【００５０】
図6は、電気素子100の信号用内部電極11〜14と信号用外部電極120、130との接続方法を説明するための概念図である。図6を参照して、信号用外部電極130は略箱型形状からなり、側面部131〜134と底面部135とを含む。そして、信号用内部電極11，12の引出部113は、信号用外部電極130の底面部135に接続される。 【００５１】
信号用外部電極120は、図6に示す信号用外部電極130と同じ形状からなり、信号用内部電極11、12の引出部111は、信号用外部電極120の底面部に接続される。 【００５２】
なお、図6においては、図示されていないが、信号用内部電極13，14の引出部112、113も、信号用内部電極11、12の引出部112、113と同じ態様でそれぞれ信号用外部電極120、130に接続される。 【００５３】
図7は、電気素子100の接地用内部電極21〜25と接地用外部電極140，150との接続方法を説明するための概念図である。図7を参照して、接地用外部電極140、150は、幅方向DR1および垂直方向DR3に帯状に配置される。そして、5枚の接地用内部電極21〜25の5個の引出部212、213は、幅方向DR1の両端において接地用外部電極140に接続され、5枚の接地用内部電極21〜25の5個の引出部214、215は、接地用外部電極150に接続される。 【００５４】
信号用内部電極11〜14は、図6に示す態様で信号用外部電極120、130に接続され、接地用内部電極21〜25は、図7に示す態様で接地用外部電極140、150に接続される。その結果、接地用外部電極21／誘電体層2／信号用内部電極11、信号用内部電極11／誘電体層3／接地用外部電極22、接地用外部電極22／誘電体層4／信号用内部電極12、信号用内部電極12／誘電体層5／接地用外部電極23、接地用外部電極23／誘電体層6／信号用内部電極13、信号用内部電極13／誘電体層7／接地用外部電極24、接地用外部電極24／誘電体層8／信号用内部電極14、および信号用内部電極14／誘電体層9／接地用外部電極25は、信号用内部電極120，130と接地用外部電極140，150との間に並列に接続された8個のコンデンサを構成する。 【００５５】
この場合、各コンデンサの電極面積は、隣接する信号用内部電極と接地用内部電極との 
重複部分20（図5参照）の面積に等しい。 【００５６】
図1に示す電気素子100は、次の方法によって製造される。長さL1および幅W1を 
有する誘電体層1（B aTiO3）となるグリーンシー トの表面に、長さL4および幅W2を有する領域にNiペーストをスクリーン印刷により塗布し、誘電体層1の表面にNiからなる接地用内部電極21を形成する。 【００５７】
同じようにして、BaTiO3からなる誘電体層3，5，7，9を作製し、その作製した誘電体層3，5，7，9上にそれぞれNiからなる接地用内部電極22〜25を形成する。 【００５８】
引き続いて、長さL1および幅W1を有する誘電体層2（BaTiO3）となるグリーンシー トの表面に、長さL2および幅W2を有する領域にNiペーストをスクリーン印刷により塗布し、誘電体層2の表面にNiからなる信号用内部電極11を形成する。 【００５９】
同じよぅにして、BaTiO3からなる誘電体層4，6，8を作製し、その作製した誘電体層4，、6，8上にNiからなる信号用内部電極12〜14を形成する。 【００６０】
さらに、誘電体層10（BaTiO3）となるグリーンシー トを作製する。 【００６１】
その後、接地用内部電極21、信号用内部電極11、接地用内部電極22、信号用内部電極12、接地用内部電極23、信号用内部電極13、接地用内部電極24、信号用内部電極14および接地用内部電極25がそれぞれ形成された誘電体層1〜9のグリーンシートおよび誘電体層10のグリーンシー トを垂直方向DR3に、順次、積層する。これによって、信号用外部電極120，130に接続される信号用内部電極11〜14および接地用外部電極140，150に接続される接地用内部電極21〜25は、交互に積層される 
さらに、Niペーストをスクリーン印刷によって塗布し、信号用外部電極120，130および接地用外部電極140，150を形成する。その後、1350℃の焼成温度で焼成して電気素子100が完成する。 【００６２】
なお、電気素子100の作製においては、グリーンシー トを使用せず、誘電体のペーストを印刷して乾燥させ、その上に導体を印刷し、さらに、誘電体のペーストを印刷して同様な工程を行い、積層していく方法もある。 【００６３】
図8は、図1に示す電気素子100の機能を説明するための斜視図である。図8を参照して、電気素子100に電流を流す場合、接地用外部電極140，150を接地電位に接続し、信号用内部電極11〜14に流れる電流が接地用内部電極21〜25に流れる電流と逆向きになるように電流を電気素子100に流す。 【００６４】
たとえば、電流が信号用外部電極120から信号用外部電極130の方向へ流れるように電流を電気素子100に流す。そうすると、電流は、信号用外部電極120から引出部112を介して信号用内部電極11へ流れ、信号用内部電極11を矢印70の方向へ流れ、さらに、引出部113を介して信号用外部電極130へ流れる。 【００６５】
また、信号用内部電極11を流れる電流のリターン電流は、接地用外部電極150から引出部214，215を介して接地用内部電極21に流れ、接地用内部電極21を矢印70と反対方向である矢印80の方向へ流れ、さらに、引出部212，213を介して接地用外部電極140へ流れる。 【００６６】
電流は、信号用内部電極12〜14の各々についても、信号用内部電極11と同じように流れ、接地用内部電極22〜25の各々についても、接地用内部電極21と同じように流れる。 【００６７】
そうすると、信号用内部電極11〜14を流れる電流Ilと、接地用内部電極21〜25を流れる電流I2とは、大きさが等しく、かつ、向きが逆方向の電流となる。 【００６８】
図9は、導線を流れる電流によって生成される磁束密度を説明するための図である0ま 
た、図10は、2つの導線間において磁気的干渉が生じた場合の実効インダクタンスを説明するための図である。 【００６９】
図9を参照して、無限に長い直線導線に電流Iが流れているとき、導線から距離aの位 
置に存在する点Pに生じる磁束密度Bは、 【００７０】
【数１】
2008047566.tif 000003
【００７１】
によって表される。ただし、μ0は、真空の透磁率である。 【００７２】
また、図9に示す導線が2本になり、お互いに磁気的な干渉が生じたときには、2本の導線の自己インダクタンスをそれぞれL11，L22とし、結合係数をk（0＜k＜1）とし、2本の導線の相互インダクタンスをL12とすると、相互インダクタンスL12は、次式によって表される。 【００７３】
【数２】
2008047566.tif 000004
【００７４】
ここで、L11＝L22の場合、相互インダクタンスL12は、次式になる。 【００７５】
【数３】
2008047566.tif 000005
【００７６】
図10を参照して、導線Aと導線Bとがリード線Cによって接続され、大きさが等しく、かつ、向きが逆方向の電流が導線A，Bに流れる場合を想定すると、導線Aの実効インダクタンスL11e f f e c tiv eは、次式によって表される。 【００７７】
【数４】
2008047566.tif 000006
【００７８】
このように、2本の導線A，B間に磁気的干渉が生じる場合、導線Aの実効インダクタ 
ンスL11e f f e c tiv eは、導線Bとの間の相互インダクタンスL12によって導線Aの自己インダクタンスL11よりも小さくなる。これは、導線Aに流れる電流Iが生成する磁束¢Aの方向が導線Bに流れる電流−Iが生成する磁束¢Bの方向と逆向きになり、導線Aに流れる電流Iが生成する実効的な磁束密度が小さくなるからである。 【００７９】
電気素子100においては、上述したように、信号用内部電極11は、接地用内部電極21，22から25μmの位置に配置され、信号用内部電極12は、接地用内部電極22，23から25μmの位置に配置され、信号用内部電極13は、接地用内部電極23，24から25μmの位置に配置され、信号用内部電極14は、接地用内部電極24，25から25μmの位置に配置されるため、信号用内部電極11と接地用内部電極21，22との間、信号用内部電極12と接地用内部電極22，23との間、信号用内部電極13と接地用内部電極23，24との問および信号用内部電極14と接地用内部電極24，25との間に磁気的干渉が生じ、信吾用内部電極11〜14を流れる電流I1は、接地用内部電極21〜25を流れる電流I2と大きさが等しく、かつ、向きが逆方向であるため、信号用内部電極11〜14の実効インダクタンスは、信号用内部電極11〜14と接地用内部電極21〜25との間の相互インダクタンスによって信号用内部電極11〜14の自己インダクタンスよりも小さくなる。 【００８０】
電気素子100全体の実効キャパシタンスをCとすると、電気素子100のインピーダンスZ sは、次式によって表される。 【００８１】
【数５】
2008047566.tif 000007
【００８２】
電気素子100においては、上述したように、並列に接続された8個のコンデンサが形成されるので、1個のコンデンサが形成される場合に比べ、実効キャパシタンスCは大きくなる。 【００８３】
したがって、電気素子100においては、キャパシタンスが支配的な低周波数領域においては、実効キャパシタンスCが大きくなることによってインピーダンスZ sが低下し、インダクタンスが支配的な高周波数領域においては、上述した実効インダクタンスLの低下によってインピーダンスZ sが低下する。 【００８４】
その結果、電気素子100は、広い周波数領域において、相対的に低いインピーダンス 
Z sを有する。 【００８５】
図11は、図1に示す電気素子100が配置される基板の斜視図である。図11を参照して、基板200は、誘電体201と、導体板202〜205と、ビアホール206，207とを含む。誘電体201は、略板状形状からなる。導体板202，203は、同じ厚みを有し、誘電体201の表面201Aに所定の間隔を隔てて配置される。導体板204，205は、同じ厚みを有し、誘電体201の裏面201Bに所定の間隔を隔てて配置される。 【００８６】
ビアホール206は、導体板202の近傍に配直される。そして、ビアホール206は、誘電体201を貫通し、一方端が導体板204に接続されるとともに、他方端の端面が導体板202の表面202Bに略一致するように他方端が誘電体201の表面201Aから突出している。 ビアホール207は、導体板203の近傍に配置される。そして、ビアホール207は、誘電体201を貫通し、一方端が導体板205に接続されるとともに、他方端の端面が導体板203の表面203Aに略一致するように他方端が誘電体201の表面201Aから突出している。 【００８７】
図12は、図1に示す電気素子100が基板200上に配置された状態を示す概念図である。電気素子100は、基板200上に配置される。この場合、信号用外部電極120 は、導体板202に接続され、信号用外部電極130は、導体板203に接続され、接地用外部電極140は、ビアホール206を介して導体板204に接続され、接地用外部電極150は、ビアホール207を介して導体板205に接続される。 【００８８】
図13は、図1に示す電気素子100の使用状態を示す概念図である。図13を参照して、電気素子100は、電源160と、CPU（Central Processing Unit）170との間に接続される。電源160は、正極端子161および負極端子162を有する。CPU170は、正極端子171および負極端子172を有する。 【００８９】
導体板202（信号線）は、一方端が電源160の正極端子161に接続され、他方端が電気素子100の信号用外部電極120に接続される。導体板204は、一方端がビアホール208を介して電源160の負極端子162に接続され、他方端がビアホール206を介して電気素子100の接地用外部電極140に接続される。 【００９０】
導体板203（信号線）は、一方端が電気素子100の信号用外部電極130に接続され、他方端がCPU170の正極端子171に接続される。導体板205は、一方端がビアホール207を介して電気素子100の接地用外部電極150に接続され、他方端がビアホール209を介してCPU170の負極端子172に接続される。 【００９１】
そうすると、電源160の正極端子161から出力された電流Iは、導体板202（信号線）を介して電気素子100の信号用外部電極120に流れ、電気素子100内を、引出部112、信号用内部電極11〜14、引出部113および信号用外部電極130の順に流れる。そして、電流Iは、信号用外部電極130から導体板203（信号線）および正極端子171を介してCPU170へ流れ込む。 【００９２】
これによって、電流Iは、電源電流としてCPU170へ供給される。そして、CPU170は、電流Iによって駆動され、電流Iと同じ大きさのリターン電流Irを負極端子172から出力する。 【００９３】
そうすると、リターン電流Irは、ビアホール209を介して導体板205に流れ、導体板205からビアホール207および接地用外部電極150を介して電気素子100の接地用内部電極21〜25に流れる。そして、リターン電流Irは、接地用外部電極140からビアホール206を介して導体板204に流れ、導体板204からビアホール208および負極端子162を介して電源160に流れる。 【００９４】
その結果、電気素子100において、電流Iが信号用内部電極11〜14を電源160側からCPU170側へ流れ、リターン電流Irが接地用内部電極21〜25をCPU170側から電源160側へ流れるため、電気素子100の実効インダクタンスLは、上述したように相対的に大きく低下する。また、電気素子100は、並列に接続された8個のコンデンサを含むので、電気素子100の実効キャパシタンスCは、大きくなる。したがって、電気素子100のインピーダンスZ sは小さくなる。 【００９５】
そして、CPU170は、電源160から電気素子100を介して供給された電流Iによって駆動され、不要な高周波電流を発生する。この不要な高周波電流は、ビアホール209、導体板205およびビアホール207を介して電気素子100へ漏れるが、電気素子100は、上述したように、低いインピーダンスZsを有するため、不要な高周波電流は、電気素子100およびCPU170からなる回路を流れ、電気素子100から電源160側への漏洩が抑制される。 【００９６】
CPU170 の動作周波数は、高周波数側ヘシフトする傾向にあり、1GHz程度での動作も想定される。このような高い動作周波数の領域においては、電気素子100のインピーダンスZsは、主に実効インダクタンスLによって決定され、実効インダクタンスLは、上述したように相対的に大きく低下するので、電気素子100は、高い動作周波数で動作するCPU170が発生する不要な高周波電流をCPU170の近傍に閉じ込めるノイズフィルタとして機能する。      【００９７】
上述したように、電気素子100は、電源160とCPU170との間に接続され、CPU170が発生する不要な高周波電流をCPU170の近傍に閉じ込めるノイズフィルタとして機能する。そして、電気素子100が電源160とCPU170との間に接続される場合、信号用内部電極11〜14および接地用内部電極21〜25は、伝送線路として接続される。すなわち、信号用外部電極120，130に接続された信号用内部電極11〜14と、接地用外部電極140，150に接続された接地用内部電極21〜25とを用いて構成されるコンデンサが端子を介して伝送線路に接続されるのではなく、信号用内部電極11〜14および接地用内部電極21〜25が伝送線路の一部として接続される。 【００９８】
したがって、信号用内部電極11〜14は、電源160から出力された電流Iが電源160側からCPU170側へ流れるための導体であり、接地用内部電極21〜25は、リターン電流IrがCPU170側から電源160側へ流れるための導体である。その結果、等価直列インダクタンスを極力排除できる。 【００９９】
また、電気素子100においては、信号用外部電極120，130に接続された信号用内部電極11〜14に流れる電流を、接地用外部電極140，150に接続された接地用内部電極21〜25に流れる電流と逆向きに設定することによって、信号用内部電極11〜14と接地用内部電極21〜25との間に磁気的干渉を生じさせ、信号用内部電極11〜14の自己インダクタンスを信号用内部電極11〜14と接地用内部電極21〜25との間の相互インダクタンスによって減少させる。そして、これによって、電気素子100の実効インダクタンスを減少させ、電気素子100のインピーダンスZ sを低下させる。 【０１００】
このように、この発明においては、コンデンサの電極を構成する信号用内部電極11〜14および接地用内部電極21〜25を伝送線路の⊥部として接続することを第1の特徴とし、信号用外部電極120，130に接続された信号用内部電極11〜14と、接地用外部電極140，150に接続された接地用内部電極21〜25とに逆向きの電流を流して信号用内部電極11〜14と接地用内部電極21〜25との間に磁気的干渉を生じさせることによって信号用内部電極11〜14の実効インダクタンスを信号用内部電極11〜14の自己インダクタンスよりも小さくし、それによって電気素子100のインピーダンZ sを小さくすることを第2の特徴とし、電源電流を流す信号用内部電極11〜14の各々が接地電位に接続される2つの接地用内部電極（接地用内部電極21，22、接地用内部電極22，23、接地用内部電極23，24および接地用内部電極24，25）によって挟まれることを第3の特徴とする。 【０１０１】
さらに、信号用内部電極11〜14は、平板部111よりも幅が広い引出部112，113を両端に有することを第4の特徴とする。 【０１０２】
この第2の特徴は、CPU170からのリターン電流Irを電気素子100の内部に配置された接地用内部電極21〜25に流す構成を採用することによって実現される。 【０１０３】
そして、第1の特徴によって等価直列インダクタンスを極力排除でき、第2の特徴によ 
って不要な高周波電流をCPU170の近傍に閉じ込めることができる。また、第3の特徴によって電気素子100のノイズが外部へ出るのを抑制できるとともに、電気素子100が外部からのノイズに影響されるのを抑制できる。さらに、第4の特徴によって、信号用内部電極11〜14と信号用外部電極120，130との接触面積を大きくできる。【０１０４】
その結果、信号用内部電極11〜14と信号用外部電極120，130との接触抵抗を低下でき、より多くの電流を信号用内部電極11〜14に流すことができる。また、信号用内部電極11〜14で発生した熱を信号用外部電極120、130へ伝達し易くなり、電気素子100の温度上昇を抑制できる。 【０１０５】
図14は、図1に示す電気素子100に用いられる信号用内部電極の他の例を示す概略図である。図2に示す積層体110は、信号用内部電極11〜14に代えて図14に示す信号用内部電極11Aを備えていてもよい。 【０１０６】
図14を参照して、信号用内部電極11Aは、長さL1および幅W4の略板状形状からなり、平板部111Aと引出部112A，113Aとを含む。平板部111Aは、長方形の形状を有する。そして、平板部111Aは、長さL3および幅W4を有する。そして、幅W4は、たとえば、12mmに設定される。 【０１０７】
引出部112Aは、長方形の形状を有し、平板部111Aの一方端に接して設けられる。この場合、引出部112Aは、幅方向DR2において平板部111Aの一方側へ突出している。そして、引出部112Aは、長さL2および幅W1を有する。 【０１０８】
引出部113Aは、長方形の形状を有し、平板部111Aの他方端に接して設けられる。この場合、引出部113Aは、引出部112Aと同じように幅方向DR2において平板部111Aの一方側へ突出している。そして、引出部113Aは、長さL2および幅W1を有する。 【０１０９】
このように、信号用内部電極11Aは、平板部111Aの同じ側へ突出した2つの引出部112A，113Aを有する。そして、引出部112A，113Aが平板部111Aから突出する長さは、W3＝W1−W4である。 【０１１０】
電気素子100は、信号用内部電極11〜14に代えて、各々が信号用内部電極11Aからなる4枚の信号用内部電極を備えていてもよい。この場合、信号用内部電極11Aの引出部112A，113Aの各々は、信号用外部電極120，130の側面部132，134および底面部135に接続される。その結果、信号用内部電極11（11A）〜14（11A）と信号用外部電極120，130との接触抵抗を更に低下でき、より多くの電流を信号用内部電極11（11A）〜14（11A）に流すことができる。また、信号用内部電極11（11A）〜14（11A）で発生した熱を信号用外部電極120，130へ伝達し易くなり、電気素子100の温度上昇を更に抑制できる。 【０１１１】
図15は、図1に示す電気素子100に用いられる信号用内部電極のさらに他の例を示す概略図である。図2に示す積層体110は、信号用内部電極11〜14に代えて図15に示す信号用内部電極11Bを備えていてもよい。 【０１１２】
図15を参照して、信号用内部電極11Bは、長さLlおよび幅W5の略板状形状からなり、平板部111Bと引出部112B，113Bとを含む。平板部111Bは、長方形の形状を有する。そして、平板部111Bは、長さL3および幅W5を有する。そして、幅W5は、たとえば、11mmに設定される。 【０１１３】
引出部112Bは、長方形の形状を有し、平板部111Bの一方端に接して設けられる。この場合、引出部112Bは、幅方向DR2において平板部111Bの両側へ突出している。 そして、引出部112Bは、長さL2および幅W1を有する。 【０１１４】
引出部113Bは、長方形の形状を有し、平板部111Bの他方端に接して設けられる。この場合、引出部113Bは、引出部112Bと同じように幅方向DR2において平板部111Bの両側へ突出している。そして、引出部113Bは、長さL2および幅W1を有する。 【０１１５】
このように、信号用内部電極11Bは、平板部111Bの両側へ突出した2つの引出部112B，113Bを有する。そして、引出部112B，113Bが平板部111Bから突出する長さは、2×W3＝W1−W5である。 【０１１６】
電気素子100は、信号用内部電極11〜14に代えて、各々が信号用内部電極11Bからなる4枚の信号用内部電極を備えていてもよい。この場合、信号用内部電極11Bの引出部112B，113Bの各々は、信号用外部電極120，130の側面部132，134および底面部135に接続される。その結果、信号用内部電極11（11B）〜14（11B）と信号用外部電極120，130との接触抵抗を信号用内部電極11を用いた場合よりも更に低下でき、より多くの電流を信号用内部電極11（11B）〜14（11B）に流すことができる。また、信号用内部電極11（11B）〜14（11B）で発生した熱を信号用内部電極11を用いた場合よりも信号用外部電極120，130へ伝達し易くなり、電気素子100の温度上昇を更に抑制できる。 【０１１７】
図16は、図1に示す電気素子100に用いられる信号用内部電極のさらに他の例を示す概略図である。図2に示す積層体110は、信号用内部電極11〜14に代えて図16に示す信号用内部電極11Cを備えていてもよい。 【０１１８】
図16を参照して、信号用内部電極11Cは、長さLlおよび幅W5の略板状形状からなり、平板部111Cと引出部112C，113Cとを含む。平板部111Cは、長方形の形状を有する。そして、平板部111Cは、長さL3および幅W5を有する。 【０１１９】
引出部112Cは、長方形の形状を有し、平板部111Cの一方端に接して設けられる。この場合、引出部112Cは、幅方向DR2において平板部111Cの一方側（図16において左側）へ突出している。そして、引出部112Cは、長さL2および幅W3＋W5を有する。 【０１２０】
引出部113Cは、長方形の形状を有し、平板部111Cの他方端に接して設けられる。この場合、引出部113Cは、幅方向DR2において引出部112Cの突出方向と反対方向である平板部111Cの他方側（図16において右側）へ突出している。そして、引出部113Cは、長さL2および幅W3＋W5を有する。 
このように、信号用内部電極11Cは、平板部111Cの反対側へ突出した2つの引出部112C，113Cを有する。そして、引出部112C，113Cが平板部111Cから突出する長さは、W3＝（W1−W5）／2である。 
電気素子100は、信号用内部電極11〜14に代えて、各々が信号用内部電極11Cからなる4枚の信号用内部電極を備えていてもよい。この場合、信号用内部電極11Cの引出部112Cは、信号用外部電極120の側面部132および底面部135に接続され、引出部113Cは、信号用外部電極130の側面部134および底面部135に接続される。その結果、信号用内部電極11（11C）〜14（11C）と信号用外部電極120，130との接触抵抗を信号用内部電極11を用いた場合よりも更に低下でき、より多くの電流を信号用内部電極11（11C）〜14（11C）に流すことができる。また、信号用内部電極11（11C）〜14（11C）で発生した熱を信号用内部電極11を用いた場合よりも信号用外部電極120，130へ伝達し易くなり、電気素子100の温度上昇を更に抑制できる。 【０１２１】
図17は、図1に示す電気素子100に用いら九る信号用内部電極のさらに他の例を示す概略図である。図2に示す積層体110は、信号用内部電極11〜14に代えて図17に示す信号用内部電極11Dを備えていてもよい。 【０１２２】
図17を参照して、信号用内部電極11Dは、長さLlおよび幅W5の略板状形状からなり、平横部111Dと引出部112D，113Dとを含む。平板部111Dは、長方形の形状を有する。そして、平板部111Dは、長さL3および幅W5を有する。 【０１２３】
引出部112Dは、長方形の形状を有し、平板部111Dの一方端に接して設けちれる。この場合、引出部112Dは、幅方向DR2において平板部111Dの一方側（図17において右側）へ突出している。そして、引出部112Dは、長さL2および幅W3＋W5を有する。 【０１２４】
引出部113Dは、長方形の形状を有し、平板部111Dの他方端に接して設けられる。この場合、引出部113Dは、幅方向DR2において引出部112Dの突出方向と反対方向である平板部111Dの他方側（図17において左側）へ突出している。そして、引出部113Dは、長さL2および幅W3＋W5を有する。 
このように、信号用内部電極11Dは、平板部111Dの反対側へ突出した2つの引出部112D，113Dを有する。そして、引出部112D，113Dが平板部111Dから突出する長さは、W3＝（W1−W5）／2である。 【０１２５】
電気素子100は、信号用内部電極11〜14に代えて、各々が信号用内部電極11Dからなる4枚の信号用内部電極を備えていてもよい。この場合、信号用内部電極11Dの引出部112Dは、信号用外部電極120の側面部134および底面部135に接続され引出部113Dは、信号用外部電極130の側面部132および底面部135にされる。その結果、信号用内部電極11（11D）〜14（11D）と信号用外部電極120，130との接触抵抗を信号用内部電極11を用いた場合よりも更に低下でき、より多くの電流を信号用内部電極11（11D）〜14（11D）に流すことができる。また、信号用内部電極11（11D）〜14（11D）で発生した熱を信号用内部電極11を用いた場合よりも信号用外部電極120，130へ伝達し易くなり、電気素子100の温度上昇を更に抑制できる。 【０１２６】
図18は、この発明の実施の形態による他の電気素子の斜視図である。この発明による電気素子は、図18に示す電気素子100Aであってもよい。図18を参照して、電気素子100Aは、図1に示す電気素子100の積層体110を積層体180に代え、信号用外部電極120，130をそれぞれ信号用外部電極120A，130Aに代えたものであり、その他は、電気素子100と同じである。 【０１２７】
積層体180は、略直方体の形状を有する。そして、積層体180は、積層体110のうち、信号用内部電極11〜14を後述する他の信号用内部電極に代えたものであり、その他は、積層体110と同じである。 
信号用外部電極120Aは、積層体180の一方端において、端面180A、側面180B，180Cの一部、底面180Dの一部および上面180Eの一部に形成される。信号用外部電極130Aは、積層体180の他方端において、端面180F、側面180B，180Cの一部、底面180Dの一部、および上面180Eの一部に形成される。そして、信号用外部電極120A，130Aのうち、積層体180の側面180B，180Cに形成された部分は、積層体180の底面180Dから上面180Eに向かうに従って幅が徐々に広くなっている。 【０１２８】
接地用外部電極140は、信号用外部電極120A側において、積層体180の側面180B，180C、底面180D、および上面180Eの一部に形成される。接地用外部電極150は、信号用外部電極130A側において、積層体180の側面180B，180C、底面180D、および上面180Eの一部に形成される。 【０１２９】
図19は、図18に示す積層体180が備える信号用内部電極の斜視図である。図19を参照して、積層体180は、信号用内部電極11〜14に代えて信号用内部電極31〜34を備える。 【０１３０】
信号用内部電極31は、平板部311と引出部312，313とを含む。信号用内部電極32は、平板部321と引出部322，323とを含む。信号用内部電極34は、平板部341と引出部342，343とを含む。なお、図19においては、信号用内部電極33が図示されていないが、信号用内部電極33も、平板部と2つの引出部とを含む。 【０１３１】
信号用内部電極31〜34は、図14に示す信号用内部電極11Aと同じ形状からなる。したがって、引出部312，321，341は、引出部112Aに相当し、引出部313，323，343は、引出部113Aに相当する。そして、信号用内部電極31〜34は、信号用内部電極11Aと同じ寸法を有し、引出部312，322，342，313，323，343の長さが引出部112A，113Aの長さL2と異なるだけである。 【０１３２】
引出部312，322，342は、それぞれ、長さL7，L8，L10を有し、引出部313，323，343は、それぞれ、長さL7，L8，L10を有する。そして、L7，L8，L10の間には、L7＜L8＜L10の関係が成立する。 【０１３３】
このように、積層体180は、引出部の長さが徐々に長くなる信号用内部電極31〜34を備える。 【０１３４】
図20は、図18に示す積層体180における信号用内部電極31〜34と信号用外部電極120A，130Aとの接続状態を示す斜視図である。なお、図20においては、信号用外部電極120A，130Aのうち、3個の側面部のみを示す。 【０１３５】
図20を参照して、信号用内部電極31〜34は、垂直方向DR3に順次積層される。信号用外部電極120A，130Aの各々は、側面部121，122を含む。側面部121，122の各々は、垂直方向DR3において信号用内部電極31から信号用内部電極34の方向へ向かって徐々に幅が広くなる。 【０１３６】
そして、信号用内部電極31〜34の引出部312，322，332，342は、側面部121，122に接続される。この場合、側面部121，122は、信号用内部電極31から信号用内部電極34の方向へ向かって徐々に幅が広くなっており、引出部312，322，332，342は、信号用内部電極31から信号用内部電極34の方向へ向かって徐々に長さが長くなっている。したがって、引出部312，322，332，342は、信号用外部電極120Aの側面部121，122の全幅で側面部121，122に接続される。 【０１３７】
同様にして、信号用内部電極31〜34の引出部313、323、333、343は、信号用外部電極130Aの側面部121，122の全幅で側面部121，122に接続される。 【０１３８】
したがって、電気素子100Aにおいては、信号用内部電極31〜34と信号用外部電極120A，130Aとの接触面積は、垂直方向DR3の上側に行くに従って（＝信号用内部電極31から信号用内部電極34の方向へ向かうに従って）大きくなる。 【０１３９】
電気素子100Aが基板に実装され、電流が積層体180の底面180D側から信号用外部電極120Aに供給された場合、電流が供給された点から信号用内部電極31〜34までの距離が異なるため、電流が信号用内部電極34へ供給されるときの抵抗は、電流が信号用内部電極31へ供給されるときの抵抗よりも大きくなる。【０１４０】
しかし、上述したように、信号用内部電極31〜54と信号用外部電極120A，130Aとの接触面積は、垂直方向DR3の上側に行くに従って（＝信号用内部電極31から信号用内部電極34の方向へ向かうに従って）大きくなるので、電流が信号用内部電極31〜34へ供給されるときの抵抗を信号用内部電極31〜34間でほぼ等しくできる。 【０１４１】
その結果、信号用内部電極31〜34の各々に流せる電流を均等にでき、1枚の信号用内部電極に流す電流を決定すれば、信号用内部電極31〜34全体に流れる電流を容易に決定できる。 
なお、好ましくは、電流が信号用内部電極31〜34へ供給されるときの抵抗が信号用内部電極31〜34間で略等しくなるように、信号用外部電極120A，130Aの側面部121，122の幅を決定する。 【０１４２】
図25は、図１に示す電気素子100に用いられる信号用内部電極のさらに他の例を示す概略図である。図2に示す積層体110は、信号用内部電極11〜14に代えて図25に示す信号用内部電極11Eを備えていてもよい。 【０１４３】
図25を参照して、信号用内部電極11E、接地用内部電極21B、略直方体形状の底面に帯状に第3底面電極2000、第4底面電極2001、接地用内部電極21Bと接地用外部電極140とを接続する第3接続部212A、213A、接地用内部電極21Bと接地用外部電極150とを接続する第4接続部214A、215Aを備える。【０１４４】
第3および第4接続部は、台形状に形成され、図26（ａ）、（ｂ）、（ｃ）に示すように、接地用内部電極21Bの両端の台形状である第3接続部212A、213A、及び第4接続部214A、215Aに流れる電流の成分を分割すると、信号用内部電極11Eに流れる電流と逆向きの成分が現れ、磁界の相殺が起こりインダクタンスを減少させる。【０１４５】
一方、従来は図27（ａ）、（ｂ）は貫通型三端子600の図23、図24の内部電極の電流の流れを示している。信号用内部電極605の電流の流れに対して、接地用内部電極606と接地用外部電極604を繋ぐ部分の流れは略直角となるため、磁界の相殺がされずインダクタンスを減少させることができなかった。【０１４６】
図28は、図１に示す電気素子100に用いられる信号用内部電極のさらに他の例を示す概略図である。図2に示す積層体110は、信号用内部電極11〜14に代えて図28（ａ）、（ｂ）、（ｃ）、（ｄ）に示す信号用内部電極11E、接地用内部電極21Bを備えていてもよい。【０１４７】
図28（ａ）、（ｂ）、（ｃ）を参照して、図25（ｅ）の第3接続部212A、213A、及び第4接続部214A、215Aを台形状から略平行四辺形状に変更したものである。【０１４８】
上記より台形状の垂直部が無くなり、斜めになるため第3接続部212A、213A、及び第4接続部214A、215Aに流れる電流の成分を分割すると、図25（ｅ）よりさらに、信号用内部電極11E、接地用内部電極21Bに流れる電流と逆向きの成分が現れ、磁界の相殺が起こりインダクタンスを減少させことができる。【０１４９】
また、図28（ｄ）の場合、上記のさらなる変形であるが、前記接地用内部電極21Bの接続する外部電極である接地用外部電極140および150が、それぞれ前記信号用内部電極11Eの信号用外部電極120および130と同じ面に形成されたものである。この場合は、信号用内部電極11Eと信号用外部電極120および130と、接地用内部電極21Bと接地用外部電極140および150の接続部の電流の流れは、逆向きとなり磁界の相殺が起こる。そのため、インダクタンスを減少させことができる。【０１５０】
図29は、図１に示す電気素子100に用いられる信号用内部電極のさらに他の例を示す概略図である。図2に示す積層体110は、信号用内部電極11〜14に代えて図29（ａ）、（ｂ）、（ｃ）、（ｄ）に示すように信号用内部電極11F、接地用内部電極21Cに第1分断溝1200、第2分断溝1201を備えていてもよい。【０１５１】
図29（ａ）を参照して、図１に示す電気素子100の反り改善の方法を説明する。【０１５２】
信号用内部電極11Fおよび接地用内部電極21Cが、長軸方向に２分割されることにより、短軸方向に対して信号用内部電極11F及び接地用内部電極21Cの伸びが分断されて緩和される。従来、1350℃で焼成されるため導電体層と誘電体層の熱膨張係数の違いによる反りにより生じていたヒビ、ワレ、剥がれなどが、導体層が分断されて伸びが緩和されることにより減少させることができる。図29（ｂ）の効果は、図29（ａ）と同様である。【０１５３】
図29（ｃ）は、信号用内部電極11Fおよび接地用内部電極21Cが、短軸方向に分断溝を入れることにより、長軸軸方向に対して信号用内部電極11Fおよび接地用内部電極21Cが約２分されるため、導電体層の伸びが緩和され、導電体層と誘電体層の熱膨張係数の違いによる反りを減少させることができ、  図30（ａ）と同様な効果がある。
図29（ｄ）は図29（ａ）、図29（ｃ）の第１および第2分割溝を合わせたものであり、図29（ａ）、図29（ｃ）と同様の効果がより多くなる。【０１５４】
図30は、図１に示す電気素子100に銅からなる導体板４00を接続した概略図である。
図30（ａ）、（ｂ）、（ｃ）を参照して、信号用外部電極120および130の一部にクリーム半田を塗布し、電気素子100を覆うよう被せてリフロー炉に入れて半田付けする。このとき、接地用外部電極140Aおよび150Aは、電気素子100の直方体形状の底面に略垂直で互いに対向する第１側面に対して、前記底面及び前記第１側面に略垂直で互いに対向する第２側面の下端から上端に達しないところまで形成する。そうすることで、導体板400と接地用外部電極140Aおよび150Aの短絡が防げる。【０１５５】
但し、図29（ｃ）の場合の導体板400は、接地用外部電極140および150が出ている部分に凹部が設けられているため、接地用外部電極140および150が、電気素子100の側面である第２側面の下端から上端まで達しても短絡は起こらない。【０１５６】
前記導体板を銅からなると説明したが、これに限らず、銀、金、アルミニウムなどの金属バルクからなっても良い。【０１５７】
上記のように、導体板400を取り付けることにより、抵抗成分の少ない導体板400により発熱が少なくなり、また、導体板400により放熱の効果もあるため、発熱が少なく、且つ、大電流を流すことが出来る。そのため、実装基板や周りの部品に、熱などによる悪い影響を与えることがなくなる。【０１５８】
図31は、電気素子に銅の導体板400を付加したものと、付加しないものにおいて、積層数と許容電流を測定したデータである。銅の導体板400を付加した電気素子が、同じ積層数でも、大電流を流せる。【０１５９】
上記においては、誘電体層1〜10、1A、2Aは、全て同じ誘電体材料（BaTiO3）により構成されると説明したが、この発明においては、これに限らず、誘電体層1〜10、1A、2Aは、相互に異なる誘電体材料により構成されていてもよく、2種類の誘電体材料により構成されていてもよく、一般的には、1種類以上の誘電体材料により構成されていればよい。この場合、誘電体層1〜5を構成する各誘電体材料は、好ましくは、3000以上の比誘電率を有する。 
そして、BaTi O3以外の誘電体材料としては、Ba（Ti，Sn）O3，Bi4Ti3O12，（Ba，S r，Ca）Ti O3，（Ba，Ca）（Z r，Ti）O3，（a，S r，Ca）（Z r，Ti）O3，S rTiO3，CaTiO3，PbTi O3，b（Zn，Nb）O3，Pb（Fe，W）O3，Pb（Fe，Nb）O3，Pb（Mg，Nb）O3，Pb（Ni，W）O3，Pb（Mg，W）O3，Pb（Z r，Ti）Pb（Li，Fe，W）O3，Pb5Ge3O11およびCa Z r O3等を用いることができる。 【０１６０】
また、上記においては、信号用外部電極120，130，120A，130A、信号用内部電極11〜14，11A，11B，11C，11D，31〜34、接地用内部電極21〜25および接地用外部電極140，150は、ニッケル（Ni）からなると説明したが、この発明においては、これに限らず、信号用外部電極120，130，120A，130A、信号用内部電極11〜14、11A、11B、11C、11D、11E、11F、31〜34、接地用内部電極21〜25、21B、21Cおよび接地用外部電極140、150は、銀（Ag）、パラジウム（Pd）、銀パラジウム合金（Ag−Pd）、白金（P t）、金（Au）、銅（Cu）、ルビジウム（Ru）およびタングステン（W）のいずれかにより構成されてもよい。 【０１６１】
さらに、上記においては、信号用外部電極120，130，120A，130Aに接続される信号用内部電極の枚数は、4枚（信号用内部電極11〜14，31〜34）であり、接地用外部電極140，150に接続される接地用内部電極の枚数は、5枚（接地用内部電極21〜25）であると説明したが、この発明においては、これに限らず、電気素子100，100Aは、信号用外部電極120，130，120A，130Aに接続されるn（nは正の整数）個の信号用内部電極と、接地用外部電極140，150に接続されるm（mは正の整数）個の接地用内部電極とを備えていればよい。この場合、電気素子100，100Aは、j（j＝m＋n）個の誘電体層を備える。信号用外部電極120，130，120A，130Aに接続される信号用内部電極と、接地用外部電極140，150に接続される接地用内部電極とを少なくとも1枚備えていれば、磁気的干渉を生じさせることができ、実効インダクタンスを小さくできるからである。 【０１６２】
そして、この発明においては、電気素子100、100Aに流れる電流が増加するに従って、信号用外部電極120、130、120A、130Aに接続される信号用内部電極の枚数と、接地用外部電極140、150、140A、150Aに接続される接地用内部電極の枚数とを増加させる。信号用外部電極120、130、120A、130Aに接続される信号用内部電極および接地用外部電極140、150、140A、150Aに接続される接地用内部電極が複数の信号用内部電極／接地用内部電極からなるとき、複数の信号用内部電極／接地用内部電極は、2個の信号用外部電極（120，130；120A，130A）間、または2個の接地用外部電極（140、150、140A、150A）間に並列に接続されるので、信号用外部電極120，130，120A，130Aに接続される信号用内部電極の枚数と、接地用外部電極140，150、140A、150Aに接続される接地用内部電極の枚数とを増加させれば、電気素子100に流れる電流を増加できるからである。 【０１６３】
また、この発明においては、電気素子100、100Aのインピーダンスを相対的に低下させる場合、信号用外部電極120、130、120A、130Aに接続される信号用内部電極の枚数と、接地用外部電極140，150、140A、150Aに接続される接地用内部電極の枚数とを増加させる。信号用外部電極120、130、120A、130Aに接続される信号用内部電極の枚数と、接地用外部電極140，150、140A、150Aに接続される接地用内部電極の枚数とを増加させれば、並列接続されるコンデンサの個数が増加し、電気素子100，100Aの実効キャパシタンスが大きくなってインピーダンスが低下するからである。 【０１６４】
さらに、上記においては、電気素子100，100Aは、CPU170が発生する不要な高周波電流をCPU170の近傍に閉じ込めるノイズフィルタとして用いられると説明したが、この発明においては、これに限らず、電気素子100，100Aは、コンデンサとしても使用される。電気素子100，100Aは、上述したように、並列に接続された8個のコンデンサを含むので、コンデンサとしても使用可能である。【０１６５】
そして、より具体的には、電気素子100，100Aは、ノートパソコン、CD−RW／DVD装置、ゲーム機、情報家電、デジタルカメラ、自動車電装用、機器、MPU周辺回路およびDC／DCコンバータ等に用いられる。したがって、ノ「トパソコンおよびCD−RW／DVD装置等にコンデンサとして用いられているが、電源160とCPU170との間で使用されてCPU170が発生する不要な高周波電流をCPU170の近傍に閉じ込めるノイズフィルタの機能を有する電気素子は、この発明による電気素子100，100Aに含まれる。 【０１６６】
今回開示された実施の形態はすべての点で例示であって制限的なものではないと考えら 
れるべきである。本発明の範囲は、上記した実施の形態の説明ではなくて特許請求の範囲 
によって示され、特許請求の範囲と均等の意味および範囲内でのすべての変更が含まれる 
ことが意図される。 
【産業上の利用可能性】
【０１６７】
この発明は、素子全体で流せる直流電流を容易に決定可能な電気素子に適用される。 
【図面の簡単な説明】
【０１６８】
【図１】この発明の実施の形態による電気素子の構成を示す斜視図である。
【図２】図1に示す積層体の斜視図である。
【図３】図2に示す誘電体層2および信号用内部電極の寸法を説明するための図である。
【図４】図2に示す他の誘電体層および接地用内部電極の寸法を説明するための図である。
【０１６９】
【図５】隣接する信号用内部電極と接地用内部電極との平面図である。
【図６】電気素子の信号用内部電極と信号用外部電極との接続方法を説明するための概念図である。
【図７】電気素子の接地用内部電極と接地用外部電極との接続方法を説明するための概念図である。
【図８】図1に示す電気素子の機能を説明するための斜視図である。
【図９】導線を流れる電流によって生成される磁束密度を説明するための図である。
【図１０】2つの導線間において磁気的干渉が生じた場合の実効インダクタンスを説明するための図である。
【図１１】図1に示す電気素子が配置される基板の斜視図である。
【図１２】図1に示す電気素子が基板上に配置された状態を示す概念図である。
【図１３】図1に示す電気素子の使用状態を示す概念図である。
【図１４】図1に示す電気素子に用いられる信号用内部電極の他の例を示す概略図である。
【図１５】図1に示す電気素子に用いられる信号用内部電極のさらに他の例を示す概略図である。
【図１６】図1に示す電気素子に用いられる信号用内部電極のさらに他の例を示す概略図である。
【図１７】図1に示す電気素子に用いられる信号用内部電極のさらに他の例を示す概略図である。
【図１８】この発明の実施の形態による他の電気素子の斜視図である。
【図１９】図18に示す積層体が備える信号用内部電極の斜視図である。
【図２０】図18に示す積層体における信号用内部電極と信号用外部電極との接続状態を示す斜視図である。
【図２１】従来の貫通型三端子コンデンサの斜視図である。
【図２２】図21に示す線XXII−XXII間における貫通型三端子コンデンサの断面図である。
【図２３】図22に示す1枚の信号用内部電極を含む平面における貫通型三端子コンデンサの断面図である。
【図２４】図22に示す1枚の接地用内部電極を含む平面における貫通型三端子コンデンサの断面図である。
【図２５】図1に示す電気素子に用いられる接地用内部電極のさらに他の例を示す概略図である。
【図２６】図25に示す電気素子に用いられる信号用内部電極と接地用内部電極の電流の流れを示す概略図である。
【図２７】従来の貫通型三端子コンデンサの信号用内部電極と接地用内部電極の電流の流れを示す概略図である。
【図２８】図1に示す電気素子に用いられる信号用内部電極と接地用内部電極のさらに他の例を示す概略図である。
【図２９】図1に示す電気素子に用いられる信号用内部電極と接地用内部電極に分断溝をいれた概略図である。
【図３０】図1に示す電気素子に導体板を付加し、接地用外部電極の配置を示した概略図である。
【図３１】図1に示す電気素子に導体板を付加したものと、付加しないものでの電流値測定グラフ図である。
【符号の説明】
【０１７０】
1〜10、1A、2A 誘電体層、11〜14、11A、11B、11C、11D、11E、11Ｆ、31〜34 信号用内部電極、21〜25、21B、21C接地用内部電極、212A、213A第3接続部、214A、215A第4接続部、1200第1分断溝、1201第2分断溝、2000第3底面電極、2001第4対面電極、21a一方端、21b 他方端、70、80 矢印、100、100A、100B 電気素子、110，180 積層体、110A、110F、180A、180F端面、110B、110C、180B、180C側面、110D，180D 底面、110E，180E 上面、120、120A、130、130A 信号用外部電極、140、140A、150、150A 接地用外部電極、111、111A、111B、111C、111D、211平板部、112、112A、112B、112C、112D、113、113A、113B、113C、113D、212〜215、212A〜215A、312、321、332、342、313、323、333、343引出部、121、122、131〜134側面部、135底面部、導体板400、160電源、161、171正極端子、162、172負極端子、170 CPU、200基板、201誘電体、201A表面、201B裏面、202〜205導体板、202A、230A上面、206〜209ビアホール、600貫通型三端子コンデンサ、602、603信号用外部電極、602A、603A、604A下面部、604接地用外部電極、605信号用内部電極、606接地用内部電極、607誘電体、201、2031第１の部分、2022、2032第２の部分、2023、2033第３の部分
【図１】
2008047566.tif 000008
【図２】
2008047566.tif 000009
【図３】
2008047566.tif 000010
【図４】
2008047566.tif 000011
【図５】
2008047566.tif 000012
【図６】
2008047566.tif 000013
【図７】
2008047566.tif 000014
【図８】
2008047566.tif 000015
【図９】
2008047566.tif 000016
【図１０】
2008047566.tif 000017
【図１１】
2008047566.tif 000018
【図１２】
2008047566.tif 000019
【図１３】
2008047566.tif 000020
【図１４】
2008047566.tif 000021
【図１５】
2008047566.tif 000022
【図１６】
2008047566.tif 000023
【図１７】
2008047566.tif 000024
【図１８】
2008047566.tif 000025
【図１９】
2008047566.tif 000026
【図２０】
2008047566.tif 000027
【図２１】
2008047566.tif 000028
【図２２】
2008047566.tif 000029
【図２３】
2008047566.tif 000030
【図２４】
2008047566.tif 000031
【図２５】
2008047566.tif 000032
【図２６】
2008047566.tif 000033
【図２７】
2008047566.tif 000034
【図２８】
2008047566.tif 000035
【図２９】
2008047566.tif 000036
【図３０】
2008047566.tif 000037
【図３１】
2008047566.tif 000038
【国際調査報告】
2008047566.tif 000039
2008047566.tif 000040
2008047566.tif 000041
2008047566.tif 000042